(57)【特許請求の範囲】
【請求項１】
一対の固定入れ子と可動入れ子と、これら両入れ子間に形成されたキャビティ空間と、金型の開閉方向と直交する方向に開閉自在な一対のスライドコアと、上記キャビティ空間内の圧力によって両スライドコアが開くのを防止する一対のロッキングブロックとを備え、
射出工程で圧縮された成形材料の歪みを除去するため、冷却工程中に金型を微小量開くレンズ用成形金型において、
金型の開閉に伴って上記両スライドコアを互いに離間する方向へ移動させて開く一対のアンギュラーカムがロッキングブロックに設けられ、
上記両アンギュラーカムの先端部が両スライドコアに形成された貫通孔に挿通され、
上記各貫通孔に、傾斜面と、スライドコアの開閉方向に直交する垂直面とが形成され、
上記各アンギュラーカムに、金型を開いた際に上記傾斜面に摺接して両スライドコアを開く方向へ案内する案内面と、金型を閉じた際ならびに微小量開いた際に上記垂直面に摺接して両スライドコアの開方向への移動を規制する規制面とが形成されていることを特徴とするレンズ用成形金型。
【発明の詳細な説明】
【０００１】
【発明の属する技術分野】
本発明は、長尺の光学用レンズを成形する金型に関する。
【０００２】
【従来の技術】
従来、この種のレンズ用成形金型としては、例えば図４，図５に示すように、一対の固定入れ子４１と可動入れ子４２と、これら両入れ子４１，４２間に形成されたキャビティ空間４３と、金型４４の開閉方向Ａと直交する方向Ｂに開閉自在な一対のスライドコア４５ａ，４５ｂと、上記キャビティ空間４３内の圧力によって両スライドコア４５ａ，４５ｂが開くのを防止する一対のロッキングブロック４６ａ，４６ｂと、金型４４の開閉に伴って上記両スライドコア４５ａ，４５ｂを互いに離間する方向へ移動させて開く一対のアンギュラーピン４７ａ，４７ｂとが具備されている。
【０００３】
尚、上記固定入れ子４１は固定側プレート５４に設けられ、可動入れ子４２は可動側プレート４９に設けられている。また、上記各アンギュラーピン４７ａ，４７ｂはそれぞれロッキングブロック４６ａ，４６ｂに傾斜して設けられている。また、アンギュラーピン４７ａ，４７ｂの先端部は、各スライドコア４５ａ，４５ｂに形成された傾斜孔４８に挿通され、さらに可動側プレート４９に形成された孔部５０に挿入している。また、上記スライドコア４５ａ，４５ｂには第１テーパー面５１が形成され、上記ロッキングブロック４６ａ，４６ｂには、上記第１テーパー面５１に摺接しかつ金型４４を閉じた際にスライドコア４５ａ，４５ｂを閉方向へ移動させる第２テーパー面５２が形成されている。
【０００４】
これによると、図４に示すように、金型４４を閉じることによって、可動側プレート４９と共に可動入れ子４２が閉方向へ移動し、傾斜孔４８の内周面が両アンギュラーピン４７ａ，４７ｂの外周面に摺接しながら閉方向へ移動するため、両スライドコア４５ａ，４５ｂが接近して閉じ、この際、第１テーパー面５１が第２テーパー面５２に当接する。これにより、キャビティ空間４３内に射出された成形樹脂（成形材料）が圧縮されて長尺の光学用レンズ５３が成形される。
【０００５】
その後、上記射出工程で圧縮された成形樹脂の歪みを除去するため、図５に示すように、冷却工程中に金型４４を微小量Ｓだけ開き、成形された光学用レンズ５３の体積を増加させている。
【０００６】
【発明が解決しようとする課題】
しかしながら上記の従来形式では、図５に示すように、金型４４を微小量Ｓだけ開いた場合でも、傾斜孔４８の内周面が両アンギュラーピン４７ａ，４７ｂの外周面に摺接しながら開方向へ微小量Ｓだけ移動するため、両スライドコア４５ａ，４５ｂが離間して僅かに開き、その結果、固定入れ子４１とスライドコア４５ａ，４５ｂとの間および可動入れ子４２とスライドコア４５ａ，４５ｂとの間にそれぞれ、スライドコア４５ａ，４５ｂの開閉方向Ｂの隙間Ｗが生じ、これら隙間Ｗに成形樹脂が入り込んでバリになってしまうといった問題がある。
【０００７】
本発明は、成形材料の歪みを除去するために金型を微小量だけ開いても、各入れ子とスライドコアとの間に隙間が形成されることのないレンズ用成形金型を提供することを目的とする。
【０００８】
【課題を解決するための手段】
本発明のレンズ用成形金型においては、両アンギュラーカムの先端部が両スライドコアに形成された貫通孔に挿通され、
上記各貫通孔に傾斜面と垂直面とが形成され、
上記各アンギュラーカムに、金型を開いた際に上記傾斜面に摺接して両スライドコアを開く方向へ案内する案内面と、金型を閉じた際ならびに微小量開いた際に上記垂直面に摺接して両スライドコアの開方向への移動を規制する規制面とが形成されているものである。
【０００９】
この発明によれば、成形材料の歪みを除去するために金型を微小量だけ開いても、各入れ子とスライドコアとの間に、スライドコアの開閉方向の隙間が形成されることはない。
【００１０】
【発明の実施の形態】
本発明の請求項１に記載の発明は、一対の固定入れ子と可動入れ子と、これら両入れ子間に形成されたキャビティ空間と、金型の開閉方向と直交する方向に開閉自在な一対のスライドコアと、上記キャビティ空間内の圧力によって両スライドコアが開くのを防止する一対のロッキングブロックとを備え、
射出工程で圧縮された成形材料の歪みを除去するため、冷却工程中に金型を微小量開くレンズ用成形金型において、
金型の開閉に伴って上記両スライドコアを互いに離間する方向へ移動させて開く一対のアンギュラーカムがロッキングブロックに設けられ、
上記両アンギュラーカムの先端部が両スライドコアに形成された貫通孔に挿通され、
上記各貫通孔に、傾斜面と、スライドコアの開閉方向に直交する垂直面とが形成され、
上記各アンギュラーカムに、金型を開いた際に上記傾斜面に摺接して両スライドコアを開く方向へ案内する案内面と、金型を閉じた際ならびに微小量開いた際に上記垂直面に摺接して両スライドコアの開方向への移動を規制する規制面とが形成されているものである。
【００１１】
これによると以下のような作用を有する。
【００１２】
すなわち、金型を完全に開いた場合、貫通孔の傾斜面がアンギュラーカムの案内面に摺接して、両スライドコアが開方向へ案内される。また、金型を閉じた場合、貫通孔の垂直面がアンギュラーカムの規制面に摺接して、両スライドコアの開方向への移動が規制される。さらに、成形材料の歪みを除去するため、金型を閉じた状態から微小量開いた場合であっても、金型を閉じた状態と同様に、貫通孔の垂直面がアンギュラーカムの規制面に摺接して、両スライドコアの開方向への移動が規制されるため、各入れ子とスライドコアとの間に、スライドコアの開閉方向の隙間が形成されることはない。
【００１３】
以下、本発明の実施の形態について、図１から図３を用いて説明する。
【００１４】
図２，図３に示すように、１は長尺の光学用レンズ２を成形する成形金型であり、一対の固定入れ子３と可動入れ子４と、これら両入れ子３，４間に形成されたキャビティ空間５と、金型１の開閉方向Ａと直交する方向Ｂに開閉自在な一対のスライドコア６ａ，６ｂと、上記キャビティ空間５内の圧力によって両スライドコア６ａ，６ｂが開くのを防止する一対のロッキングブロック７ａ，７ｂと、金型１の開閉に伴って上記両スライドコア６ａ，６ｂを互いに離間する方向へ移動させて開く一対のアンギュラーカム８ａ，８ｂとが具備されている。
【００１５】
上記固定入れ子３は固定側プレート１０に設けられ、可動入れ子４は可動側プレート１１に設けられている。また、上記各入れ子３，４の先端にはそれぞれ、両スライドコア６ａ，６ｂ間に突出する凸部１２，１３が形成されている。
【００１６】
上記各スライドコア６ａ，６ｂの外面には第１テーパー面１４が形成されており、これら第１テーパー面１４は可動側プレート１１に近い部分ほど両スライドコア６ａ，６ｂの開方向へ広がっている。また、各ロッキングブロック７ａ，７ｂには、上記第１テーパー面１４と同方向に傾斜して第１テーパー面１４に摺接自在でかつ金型１を閉じた際にスライドコア６ａ，６ｂを閉方向へ移動させる第２テーパー面１５が形成されている。尚、図２に示すように、第１および第２テーパー面１４，１５の傾斜角度αはそれぞれ、１°〜５°の範囲で設定されている。
【００１７】
上記両スライドコア６ａ，６ｂには、スライドコア６ａ，６ｂの開方向へ張り出したフランジ部１７が形成されており、フランジ部１７には貫通孔１８が形成されている。また、上記各アンギュラーカム８ａ，８ｂはボルト２２によって各ロッキングブロック７ａ，７ｂに取付けられている。アンギュラーカム８ａ，８ｂの先端部は、貫通孔１８に挿通され、さらに可動側プレート１１に形成された孔部２３へ挿入される。尚、上記アンギュラーカム８ａ，８ｂの横断面は四角形に形成されており、各貫通孔１８と孔部２３との形状も、上記アンギュラーカム８ａ，８ｂに応じて四角形に形成されている。
【００１８】
上記各貫通孔１８には、スライドコア６ａ，６ｂの開閉方向Ｂに直交する垂直面１９と、この垂直面１９に対して傾斜する傾斜面２０とが形成されている。尚、上記傾斜面２０は、内側がスライドコア６ａ，６ｂの閉方向へ傾斜しかつ外側がスライドコア６ａ，６ｂの開方向へ傾斜している。
【００１９】
各アンギュラーカム８ａ，８ｂは、垂直部２４と、垂直部２４の先端に形成された傾斜部２５とで構成されており、この傾斜部２５は上記傾斜面２０と同方向かつ同角度で傾斜している。上記傾斜部２５の内外にはそれぞれ、図２に示すように、金型１を開いた際に、上記傾斜面２０に摺接して両スライドコア６ａ，６ｂを開く方向へ案内する案内面２６が形成されている。また、上記垂直部２４の内側には、図１，図３に示すように、金型１を閉じた際ならびに微小量Ｓだけ開いた際に、上記垂直面１９に摺接して両スライドコア６ａ，６ｂの開方向への移動を規制する規制面２７が形成されている。
【００２０】
以下、上記構成における作用を説明する。
【００２１】
図３に示すように、金型１を閉じることによって、両スライドコア６ａ，６ｂが接近して閉じ、キャビティ空間５内に射出された成形樹脂（成形材料の一例）が圧縮されて長尺の光学用レンズ２が形成される。この際、可動側プレート１１の閉方向への移動により、各アンギュラーカム８ａ，８ｂの先端部は、貫通孔１８に挿通され、さらに孔部２３内に挿入される。この状態で、貫通孔１８の垂直面１９がアンギュラーカム８ａ，８ｂの規制面２７に当接するとともに、第１テーパー面１４と第２テーパー面１５とが当接するため、両スライドコア６ａ，６ｂの開方向への移動が規制される。尚、この際、キャビティ空間５内の圧力は第１，第２テーパー面１４，１５を介して両ロッキングブロック７ａ，７ｂで受け止められる。
【００２２】
その後、上記射出工程で圧縮された成形樹脂の歪みを除去するため、図１に示すように、冷却工程中に金型１を微小量Ｓだけ開き、成形された光学用レンズ２の体積を増加させる。この場合、可動側プレート１１の開方向への微小量Ｓの移動により、スライドコア６ａ，６ｂの第１テーパー面１４がロッキングブロック７ａ，７ｂの第２テーパー面１５からわずかに離間して、両テーパー面１４，１５間に隙間が形成されるとともに、アンギュラーカム８ａ，８ｂが上記微小量Ｓだけ脱抜方向へ相対的に変移するが、それでもなお、貫通孔１８の垂直面１９がアンギュラーカム８ａ，８ｂの規制面２７に当接しているため、両スライドコア６ａ，６ｂの開方向への移動が規制される。
【００２３】
これにより、固定入れ子３の凸部１２と両スライドコア６ａ，６ｂとの間は閉じられたままであり、上記凸部１２と両スライドコア６ａ，６ｂとの間にスライドコア６ａ，６ｂの開閉方向Ｂの隙間が形成されることはない。同様に、可動入れ子４の凸部１３と両スライドコア６ａ，６ｂとの間も閉じられたままであり、上記凸部１３と両スライドコア６ａ，６ｂとの間にスライドコア６ａ，６ｂの開閉方向Ｂの隙間が形成されることはない。したがって、上記隙間に成形樹脂が入り込んでバリになってしまうといった不具合を防止し得る。
【００２４】
また、図２に示すように、金型１を完全に開いた場合、可動側プレート１１の開方向への移動により、アンギュラーカム８ａ，８ｂの垂直部２４が貫通孔１８から脱抜されて傾斜部２５が孔部２３から貫通孔１８内へ相対的に移動する。この際、スライドコア６ａ，６ｂの第１テーパー面１４がロッキングブロック７ａ，７ｂの第２テーパー面１５から離間するとともに、貫通孔１８の傾斜面２０がアンギュラーカム８ａ，８ｂの案内面２６に摺接して、両スライドコア６ａ，６ｂが開方向へ案内される。これにより、両スライドコア６ａ，６ｂが、互いに、入れ子３，４の凸部１２，１３から離間して開かれる。
【００２５】
【発明の効果】
以上のように本発明によれば、成形材料の歪みを除去するために金型を微小量だけ開いても、各入れ子とスライドコアとの間に、スライドコアの開閉方向の隙間が形成されることはない。したがって、上記隙間に成形材料が入り込んでバリになってしまうといった不具合を防止し得る。
【図面の簡単な説明】
【図１】本発明の実施の形態における成形金型の断面図であり、金型を微小量開いた状態を示す。
【図２】同、成形金型の断面図であり、金型を完全に開いた状態を示す。
【図３】同、成形金型の断面図であり、金型を閉じた状態を示す。
【図４】従来の成形金型の断面図であり、金型を閉じた状態を示す。
【図５】従来の成形金型の断面図であり、金型を微小量開いた状態を示す。
【符号の説明】
１    成形金型
３    固定入れ子
４    可動入れ子
５    キャビティ空間
６ａ，６ｂ    スライドコア
７ａ，７ｂ    ロッキングブロック
８ａ，８ｂ    アンギュラーカム
１８    貫通孔
１９    垂直面
２０    傾斜面
２６    案内面
２７    規制面
Ａ    金型の開閉方向
Ｂ    スライドコアの開閉方向
Ｓ    微小量
【図１】
0003669853.tif 000002
【図２】
0003669853.tif 000003
【図３】
0003669853.tif 000004
【図４】
0003669853.tif 000005
【図５】
0003669853.tif 000006